(57)【要約】【課題】駆動ユニットの回転機構が、回転軸の回転半径より大きな回転半径で回転し、自身の回転方向に沿って連結部材を巻き上げるので、駆動ユニット全体を小型化することができ、洗浄水タンクに貯められた洗浄水面内に水没させることなく、安定した動作が可能となる操作装置を提供する。【解決手段】本発明の操作装置３０は、使用者が回転操作を行うことにより回転動作をする操作部２６と、回転軸３４と、洗浄水タンク１８内の洗浄水面より上方に配置され且つ回転軸３４の回転動作により連結部材２８を移動させる駆動ユニット３８と、駆動ユニット３８と排水弁とを連結し、且つ自身の移動により排水弁を開閉させる連結部材２８と、を有し、駆動ユニット３８は、回転軸３４の回転半径より大きな回転半径で回転する回転機構４４を備え、この回転機構４４が自身の回転方向に沿って連結部材２８を巻き上げることを特徴とする。【選択図】図７
2014190131.tif 000002
【特許請求の範囲】
【請求項１】
洗浄水タンク内に配置された排水弁を作動させ便器へ洗浄水の供給を開始させる洗浄水タンク装置の操作装置であって、
洗浄水タンク外側の側面に配置され且つ使用者が回転操作を行うことにより回転動作をする操作部と、この操作部の回転動作を上記洗浄水タンク内まで伝達する回転軸と、
洗浄水タンク内の洗浄水面より上方に配置され且つ、上記回転軸の回転動作により連結部材を移動させる駆動ユニットと、
上記駆動ユニットと上記排水弁とを連結し、且つ自身の移動により上記排水弁を開閉させる連結部材と、を有し、
上記駆動ユニットは、上記回転軸の回転半径より大きな回転半径で回転する回転機構を備え、この回転機構が自身の回転方向に沿って上記連結部材を巻き上げることを特徴とする操作装置。
【請求項２】
上記駆動ユニットの上記回転機構は、上記回転軸と連動するように上記回転軸に取付けられ、且つ外歯が形成された第一歯車部を備えた第一回転歯車部材と、外周の一部に外歯が形成された巻取部材歯車部と、外周に沿わせて上記連結部材を固定する固定部と、を備え、自身の回転方向に沿って上記連結部材を巻き上げる回転巻取部材と、外歯が形成され且つ上記第一歯車部及び上記巻取部材歯車部の各々と噛み合う第二歯車部を備えた第二回転歯車部材と、を備えていることを特徴とする請求項１記載の操作装置。
【請求項３】
上記回転巻取部材は、上記第一回転歯車部材が取付けられた回転軸と同一軸心を、自身の回転中心軸の軸心とすることを特徴とする請求項２記載の操作装置。
【請求項４】
上記回転巻取部材は、上記固定部が配置され且つ曲率半径が比較的大きく形成された第一外周部と、上記巻取部材歯車部を形成し且つこの第一外周部より曲率半径が小さく形成された第二外周部とを備えていることを特徴とする請求項２又は３記載の操作装置。
【請求項５】
上記駆動ユニットは、上記回転機構を覆うカバー部材を備え、このカバー部材は、自身の内部に形成された規制部を備え、第二回転歯車部材は、半円より小さな切り欠け形状に形成され、切り欠け形状の側面と規制部とが当接することにより、使用者が操作部を回転操作する範囲を規制することを特徴とする請求項４記載の操作装置。
【請求項６】
上記駆動ユニットは、操作部が洗浄水タンク外側の左右どちらの側面に取付けられた場合にも、回転機構の第二回転歯車部材及び回転巻取部材の配置を変更して、左右どちらの側面に取付けられた操作部にも取付け可能に構成されることを特徴とする請求項３〜５記載の操作装置。
【請求項７】
上記駆動ユニットの上記回転機構は、上記回転軸と連動するように上記回転軸に取付けられ、且つ外歯が形成された第一歯車部を備えた第一回転歯車部材と、自身の回転方向に沿って上記連結部材を巻き上げる回転巻取部材であって、外周の一部に外歯が形成され且つ第一歯車部と噛み合う巻取部材歯車部と、外周に沿わせて上記連結部材を固定する固定部と、を備えた回転巻取部材と、を備えていることを特徴とする請求項１記載の操作装置。
【請求項８】
上記回転巻取部材は、上記固定部が配置され且つ曲率半径が比較的大きく形成された第一外周部と、上記巻取部材歯車部を形成し且つこの第一外周部より曲率半径が小さく形成された第二外周部とを備えていることを特徴とする請求項７記載の操作装置。
【請求項９】
上記請求項１乃至８に記載の操作装置を備えた洗浄水タンク装置。
【請求項１０】
上記請求項９に記載の洗浄水タンク装置を備えた水洗大便器。
【発明の詳細な説明】
【技術分野】
【０００１】
本発明は、洗浄水タンク装置の操作装置に係り、特に、洗浄水タンク内に配置された排水弁を作動させ便器へ洗浄水の供給を開始させる洗浄水タンク装置の操作装置に関する。
【背景技術】
【０００２】
従来から、使用者がタンクに取り付けられた操作レバーを操作することによりワイヤが連動し、タンクの排水弁を開閉させる水洗式便器が知られている。
従来の操作装置は、特許文献１に示すように、図１８及び１９に示すような複数のリンクからなるリンク機構で構成されており、水タンクの排水のためのハンドトグル２０１が回転されると、伝動ロッド２０２が回転され、伝動ロッド２０２に接続された回転ディスク２０４が回転される。回転ディスク２０４が回転されると、連接ロッド２０６が上方に引き上げられ、案内ブロック２０８がケーシング２０９、２１１内のガイドレール上でガイドされて鉛直上方向きに引き上げられ、案内ブロック２０８により伝動ロープ２１０が弁体開放機構を引き動かして排水を制御するものが知られている。このような特許文献１においては、複数のリンク（回転ディスク２０４、連接ロッド２０６、案内ブロック２０８）からなるリンク機構によってワイヤー部材（伝動ロープ２１０）を、直上向きに引き上げることにより、ワイヤー部材が弁体開放機構を開閉するのに必要な距離まで移動させている。
【先行技術文献】
【特許文献】
【０００３】
【特許文献１】中国実用新案２６４１１５６号公報
【発明の概要】
【発明が解決しようとする課題】
【０００４】
しかしながら、このような操作レバー付きの操作装置は、リンク機構によってワイヤーを上向きに直線的に引き上げるため、上下方向に比較的長い距離のリンク機構可動領域が必要とされ、リンク機構を備える操作装置全体が上下方向に長く形成され、近年好まれているローシルエットタイプのタンク装置には適さないという課題があった。より具体的に説明すると、上下方向の高さが比較的低いローシルエットタイプのタンク内においては、タンク内の満水水位位置と操作装置の取り付け位置までの距離が比較的短くなるので、リンク機構式の操作装置全体が上下方向に長く形成されると、操作装置の一部が水没することとなり、その結果リンク機構及びワイヤーにさび、スケール等が付着して操作装置が安定して動作することができなくなるといった問題がある。
【０００５】
そこで、本発明は、上述した従来技術の問題点と課題を解決するためになされたものであり、駆動ユニットの回転機構が、回転軸の回転半径より大きな回転半径で回転し、自身の回転方向に沿って連結部材を巻き上げるので、連結部材が排水弁を上昇させて開くために十分な移動量まで確実に移動させることができ、且つ駆動ユニット全体を小型化することができ、洗浄水タンクに貯められた洗浄水面内に水没させることなく、安定した動作が可能となる操作装置を提供することを目的としている。
【課題を解決するための手段】
【０００６】
上記の目的を達成するために、本発明は、洗浄水タンク内に配置された排水弁を作動させ便器へ洗浄水の供給を開始させる洗浄水タンク装置の操作装置であって、洗浄水タンク外側の側面に配置され且つ使用者が回転操作を行うことにより回転動作をする操作部と、この操作部の回転動作を洗浄水タンク内まで伝達する回転軸と、洗浄水タンク内の洗浄水面より上方に配置され且つ、回転軸の回転動作により連結部材を移動させる駆動ユニットと、駆動ユニットと排水弁とを連結し、且つ自身の移動により排水弁を開閉させる連結部材と、を有し、駆動ユニットは、回転軸の回転半径より大きな回転半径で回転する回転機構を備え、この回転機構が自身の回転方向に沿って連結部材を巻き上げることを特徴としている。
このように構成された本発明においては、操作部の回転動作に対し、駆動ユニットの回転機構が、回転軸の回転半径より大きな回転半径で回転し、自身の回転方向に沿って連結部材を巻き上げるので、連結部材が排水弁を上昇させて開くために十分な移動量まで確実に移動させることができる。それに加え、回転機構が自身の回転方向に沿って連結部材を巻き上げるようにしたため、従来よりも、駆動ユニット全体の上下方向の長さを短くすることができ、駆動ユニット全体を小型化することができる。よって、駆動ユニットを、上下方向の高さが低いローシルエットタイプの洗浄水タンク内に配置することができ、ローシルエットタイプの洗浄水タンク内に配置した場合に、洗浄水タンクに貯められた洗浄水面内に水没させることなく、連結部材にさび、スケール等が発生することを防ぎ、連結部材を備えた操作装置の安定した動作が可能となる。
【０００７】
本発明において、好ましくは、駆動ユニットの回転機構は、回転軸と連動するように回転軸に取付けられ、且つ外歯が形成された第一歯車部を備えた第一回転歯車部材と、外周の一部に外歯が形成された巻取部材歯車部と、外周に沿わせて連結部材を固定する固定部と、を備え、自身の回転方向に沿って連結部材を巻き上げる回転巻取部材と、外歯が形成され且つ第一歯車部及び巻取部材歯車部の各々と噛み合う第二歯車部を備えた第二回転歯車部材と、を備えている。
このように構成された本発明においては、駆動ユニットの回転機構において、回転軸と連動するように回転する第一歯車部と第二歯車部とが噛み合って回転され、この第二歯車部と巻取部材歯車部とが各々噛み合って回転されるので、回転巻取部材は、歯車により伝達され増幅した回転量により回転され、自身の回転方向に固定部から外周に沿って上記連結部材を巻き上げるので、操作部の比較的小さな回転動作でも、連結部材が排水弁を上昇させて開くために十分な移動量まで確実に移動させることができる。よって、回転巻取部材が自身の回転方向に外周に沿って連結部材を巻き上げるようにしたため、従来よりも、駆動ユニット全体の上下方向の長さを短くすることができ、駆動ユニット全体を小型化することができる。
【０００８】
本発明において、好ましくは、回転巻取部材は、第一回転歯車部材が取付けられた回転軸と同一軸心を、自身の回転中心軸の軸心とする。
このように構成された本発明においては、回転巻取部材は、第一回転歯車部材が取付けられた回転軸と同一軸心を、自身の回転中心軸の軸心とするために、回転巻取部材が回転軸の軸心を中心とした左右方向に均等な領域内で回転することができ、回転巻取部材が回転動作をする回転動作領域をさらに小さく形成するとともに、連結部材が排水弁を上昇させて開くために十分な移動量まで確実に移動させることができる。よって、さらに駆動ユニット全体を小型化することができ、駆動ユニットを、上下方向の高さが低いローシルエットタイプの洗浄水タンク内に配置することができ、ローシルエットタイプの洗浄水タンク内に配置した場合に、洗浄水タンクに貯められた洗浄水面内に水没させることなく、連結部材にさび、スケール等が発生することを防ぎ、連結部材を備えた操作装置の安定した動作が可能となる。
【０００９】
本発明において、好ましくは、回転巻取部材は、固定部が配置され且つ曲率半径が比較的大きく形成された第一外周部と、巻取部材歯車部を形成し且つこの第一外周部より曲率半径が小さく形成された第二外周部とを備えている。
このように構成された本発明においては、回転巻取部材は、同一の回転中心軸の部分を中心として、曲率半径が比較的大きく形成された第一外周部と、この第一外周部より曲率半径が小さく形成された第二外周部とが回転するように形成されるので、固定部に固定された連結部材を巻き取る第一外周部と、第二歯車部と噛み合う巻取部材歯車部を有する第二外周部とを同じ回転中心軸を中心として回転させることができる。従って、第一外周部と第二外周部とを同一平面上に構成することにより、第一外周部と第二外周部とを同一平面上に構成しない場合に比べて、回転巻取部材の厚みを小さく形成することができ、回転巻取部材自身を小型化することができる。
【００１０】
本発明において、好ましくは、駆動ユニットは、回転機構を覆うカバー部材を備え、このカバー部材は、自身の内部に形成された規制部を備え、第二回転歯車部材は、半円より小さな切り欠け形状に形成され、切り欠け形状の側面と規制部とが当接することにより、使用者が操作部を回転操作する範囲を規制する。
このように構成された本発明においては、切り欠け形状の側面と規制部とが当接することにより、使用者が操作部を回転操作する範囲を規制するため、使用者が操作部を回転操作する範囲を規制する規制手段を新たに設ける必要がなくなり、駆動ユニット全体をより小型化することができる。また、第二回転歯車部材を半円より小さな切り欠け形状としたために、第二回転歯車部材を小型化することができ、第二回転歯車部材を備えた回転機構を覆うカバー部材を小型化することができるので、駆動ユニット全体をより小型化することができる。
【００１１】
本発明において、好ましくは、駆動ユニットは、操作部が洗浄水タンク外側の左右どちらの側面に取付けられた場合にも、回転機構の第二回転歯車部材及び回転巻取部材の配置を変更して、左右どちらの側面に取付けられた操作部にも取付け可能に構成される。
このように構成された本発明においては、操作部が洗浄水タンク外側の左右どちらの側面に取付けられた場合にも、駆動ユニットは、回転機構の第二回転歯車部材及び回転巻取部材の配置を変更して、左右どちらの側面に取付けられた操作部にも取付け可能に構成されるので、洗浄水タンクの左右どちらの側にも取り付け可能な操作装置を提供することができる。
【００１２】
本発明において、好ましくは、駆動ユニットの回転機構は、回転軸と連動するように回転軸に取付けられ、且つ外歯が形成された第一歯車部を備えた第一回転歯車部材と、自身の回転方向に沿って連結部材を巻き上げる回転巻取部材であって、外周の一部に外歯が形成され且つ第一歯車部と噛み合う巻取部材歯車部と、外周に沿わせて連結部材を固定する固定部と、を備えた回転巻取部材と、を備えている。
このように構成された本発明においては、駆動ユニットの回転機構において、回転軸と連動するように回転する第一歯車部と巻取部材歯車部とが噛み合って回転されるので、回転巻取部材は、歯車により伝達され増幅した回転量により回転され、自身の回転方向に固定部から外周に沿って上記連結部材を巻き上げるので、操作部の比較的小さな回転動作でも、連結部材を排水弁を上昇させて開くために十分な移動量まで確実に移動させることができる。よって、回転巻取部材が自身の回転方向に外周に沿って連結部材を巻き上げるようにしたため、従来よりも、駆動ユニット全体の上下方向の長さを短くすることができ、駆動ユニット全体を小型化することができる。よって、駆動ユニットを、上下方向の高さが低いローシルエットタイプの洗浄水タンク内に配置することができ、ローシルエットタイプの洗浄水タンク内に配置した場合に、洗浄水タンクに貯められた洗浄水面内に水没させることなく、連結部材にさび、スケール等が発生することを防ぎ、連結部材を備えた操作装置の安定した動作が可能となる。
【００１３】
本発明において、好ましくは、回転巻取部材は、固定部が配置され且つ曲率半径が比較的大きく形成された第一外周部と、巻取部材歯車部を形成し且つこの第一外周部より曲率半径が小さく形成された第二外周部とを備えている。
このように構成された本発明においては、回転巻取部材は、曲率半径が比較的大きな第一外周部に連結部材を固定する固定部が設けられ、連結部材を第一外周部に沿って巻き取るので、連結部材を排水弁を上昇させて開くために十分な移動量まで確実に移動させることができる。さらに、回転巻取部材は、固定部に固定された連結部材を巻き取る第一外周部と、第一歯車部と噛み合う巻取部材歯車部を有する第二外周部とを同じ回転中心軸を中心として回転させることができる。従って、第一外周部と第二外周部とを同一平面上に構成することにより、第一外周部と第二外周部とを同一平面上に構成しない場合に比べて、回転巻取部材の厚みを小さく形成することができ、回転巻取部材自身を小型化することができる。
【００１４】
つぎに、本発明は、上記操作装置を備えた洗浄水タンク装置である。
このように構成された本発明においては、安定した動作が可能となる操作装置を備えた洗浄水タンク装置を提供することができる。
【００１５】
つぎに、本発明は、上記洗浄水タンク装置を備えた水洗大便器である。
このように構成された本発明においては、安定した動作が可能となる操作装置を備えた水洗大便器を提供することができる。
【発明の効果】
【００１６】
本発明の操作装置によれば、駆動ユニットの回転機構が、回転軸の回転半径より大きな回転半径で回転し、自身の回転方向に沿って連結部材を巻き上げるので、連結部材が排水弁を上昇させて開くために十分な移動量まで確実に移動させることができ、且つ駆動ユニット全体を小型化することができ、洗浄水タンクに貯められた洗浄水面内に水没させることなく、安定した動作が可能となる操作装置を提供することができる。
【図面の簡単な説明】
【００１７】
【図１】本発明の第１実施形態による操作装置を備えた洗浄水タンク装置が適用された水洗大便器において、便座及び便蓋を取り外した状態を示す斜視図である。
【図２】本発明の第１実施形態による操作装置を備えた洗浄水タンク装置の内部構造を示す正面断面図である。
【図３】本発明の第１実施形態による操作装置を示す分解斜視図である。
【図４】本発明の第１実施形態による操作装置を示す平面図である。
【図５】図４のＶ−Ｖ線に沿った断面図である。
【図６】本発明の第１実施形態による操作装置において、チューブの排水装置側の端部が接続されていない状態で、駆動ユニットの内部構造を示す斜視図である。
【図７】本発明の第１実施形態による操作装置において、チューブの排水装置側の端部が接続されていない状態で、操作ハンドルが回転操作される前の待機状態の駆動ユニットの内部構造を示す正面図である。
【図８】本発明の第１実施形態による操作装置において、チューブの排水装置側の端部が接続されていない状態で、操作ハンドルが回転操作されている途中の状態の駆動ユニットの内部構造を示す正面図である。
【図９】本発明の第１実施形態による操作装置において、チューブの排水装置側の端部が接続されていない状態で、操作ハンドルが回転操作されて、最も回転された状態の駆動ユニットの内部構造を示す正面図である。
【図１０】本発明の第１実施形態による右側操作装置において、チューブの排水装置側の端部が接続されていない状態で、右側操作ハンドルが回転操作される前の待機状態の右側駆動ユニットの内部構造を示す正面図である。
【図１１】本発明の第２実施形態による操作装置を示す分解斜視図である。
【図１２】本発明の第２実施形態による操作装置を示す平面図である。
【図１３】図４のＸＩＩＩ−ＸＩＩＩ線に沿った断面図である。
【図１４】本発明の第２実施形態による操作装置において、チューブの排水装置側の端部が接続されていない状態で、操作ハンドルが回転操作される前の待機状態の駆動ユニットの内部構造を示す斜視図である。
【図１５】本発明の第２実施形態による操作装置において、チューブの排水装置側の端部が接続されていない状態で、操作ハンドルが回転操作される前の待機状態の駆動ユニットの内部構造を示す正面図である。
【図１６】本発明の第２実施形態による操作装置において、チューブの排水装置側の端部が接続されていない状態で、操作ハンドルが回転操作されている途中の状態の駆動ユニットの内部構造を示す正面図である。
【図１７】本発明の第２実施形態による操作装置において、操作ハンドルが回転操作されて、最も回転された状態の駆動ユニットの内部構造を示す正面図である。
【図１８】従来の水タンクの排水のための操作装置を示す分解斜視図である。
【図１９】従来の水タンクの排水のための操作装置を示す部分斜視図である。
【発明を実施するための形態】
【００１８】
つぎに、添付図面により、本発明の第１実施形態による洗浄水タンク装置の操作装置、この操作装置を備えた洗浄水タンク装置、及び、この洗浄水タンク装置を備えた水洗大便器について説明する。
まず、図１により、本発明の第１実施形態による操作装置を備えた洗浄水タンク装置が適用された水洗大便器について説明する。
図１は、本発明の第１実施形態による操作装置を備えた洗浄水タンク装置が適用された水洗大便器において、便座及び便蓋を取り外した状態を示す斜視図である。
【００１９】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通するトラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００２０】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００２１】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００２２】
つぎに、図２により、洗浄水タンク装置１６の内部構造について説明する。
図２は、本発明の第１実施形態による操作装置を備えた洗浄水タンク装置の内部構造を示す正面断面図である。なお、図２においては、洗浄水タンク１８の満水水位及び死水水位をＷＬ及びＤＷＬで示している。
図１及び図２に示すように、洗浄水タンク装置１６は、水洗大便器１を洗浄する洗浄水を貯水する洗浄水タンク１８を備え、この洗浄水タンク１８の底部には、便器本体２の導水路（図示せず）と連通する排水口２０が形成され、洗浄水タンク１８内の洗浄水が便器本体２の導水路（図示せず）へと供給されるようになっている。また、洗浄水タンク１８は、便器の種類に応じて、貯水する洗浄水の量が異なっている。
洗浄水タンク１８は、いわゆるローシルエットタイプの洗浄水タンクであり、洗浄水タンク１８の上端の位置の上下方向の高さが、いわゆる、比較的縦方向に長いハイシルエットタイプの洗浄水タンクよりも低く設定されている。ローシルエットタイプの洗浄水タンク１８は、高さが比較的に抑えられた横長の扁平形状に形成されているので、後述する操作装置３０の回転軸３４の回転軸心Ｃと満水水位ＷＬとの間の上下方向の高さＨ１（後述する操作装置３０等の設置可能な空間の大きさ）が比較的小さく設けられている。
【００２３】
図２に示すように、洗浄水タンク装置１６の洗浄水タンク１８内には、この洗浄水タンク１８内に洗浄水を供給する洗浄水供給装置である洗浄水供給装置２２と、洗浄水タンク１８に貯えられた洗浄水について排水口２０を開放して便器本体２の導水路（図示せず）に流出させる排水弁装置２４と、洗浄水タンク１８の外部に取り付けられた操作ハンドル２６を洗浄操作を実行させる方向に回動操作を行うことにより操作ハンドル２６に連結された操作ワイヤ２８（図６参照）が連動して排水弁装置２４の弁体（図示せず）を物理的に引き上げる操作装置３０と、が設けられている。
【００２４】
排水弁装置２４の構成については、従来の排水弁装置の構成と同様であるため、具体的な説明は省略するが、排水弁装置２４はいわゆる直動式の排水弁装置であり、排水弁装置２４内で操作ワイヤ２８が排水弁装置２４の弁体（図示せず）に接続しており、操作ワイヤ２８が移動する移動量が排水弁装置２４の弁体（図示せず）の上下方向の移動量に対応するようになっている。操作ハンドル２６の回動操作を行うことにより、操作ワイヤ２８が連動して排水弁装置２４の弁体（図示せず）を引き上げると、水洗大便器１へ洗浄水の供給が開始され、排水口２０が所定時間開放され、洗浄水タンク１８内の洗浄水が便器本体２の導水路（図示せず）に一定量排出されるようになっている。
【００２５】
つぎに、図２乃至図６を参照して、本発明の第１実施形態による操作装置の詳細について説明する。
先ず、図２は本発明の第１実施形態による操作装置を備えた洗浄水タンク装置の内部構造を示す正面断面図であり、図３は本発明の第１実施形態による操作装置を示す分解斜視図であり、図４は本発明の第１実施形態による操作装置を示す平面図であり、図５は図４のＶ−Ｖ線に沿った断面図であり、図６は本発明の第１実施形態による操作装置において、チューブの排水装置側の端部が接続されていない状態で、駆動ユニットの内部構造を示す斜視図である。
【００２６】
図２乃至図６に示すように、本発明の第１実施形態による操作装置３０は、洗浄水タンク１８外側の便器前方から見て左側の左側側面１８ａに配置され且つ使用者が回転操作を行うことにより回転動作をする操作ハンドル２６と、使用者が操作ハンドル２６の回転操作を行った場合に、操作ハンドル２６を待機状態の位置に戻すように力を作用させるばね３２と、操作ハンドル２６の回転動作を上記洗浄水タンク１８内まで伝達する回転軸３４と、回転軸３４を支持する回転軸ガイド３６と、洗浄水タンク１８内の満水水位ＷＬより上方に配置され且つ、回転軸３４の回転動作を伝達して操作ワイヤ２８を移動させる駆動ユニット３８と、回転軸３４と回転軸ガイド３６と駆動ユニット３８とを締結する止め輪４０と、駆動ユニット３８と排水弁装置２４とを連結し、且つ自身の移動により排水弁装置２４の弁体（図示せず）を開閉させる操作ワイヤ２８と、を有している。
【００２７】
操作ハンドル２６は、洗浄水タンク１８の左側側面１８ａに取付けられる左側操作ハンドルであり、使用者が手指等で下方に作用させるための持ち手部分２６ａが使用者側の前方に向かって突出するように延びている。使用者が持ち手部分２６ａを下方に押すことにより、操作ハンドル２６が回転軸３４を中心として回転する動作を発生させるようになっている。
回転軸３４は、洗浄水タンク１８の外側から内側まで貫通して延びるように形成され、洗浄水タンク１８の左右方向に水平に配置されている。回転軸３４は、洗浄水タンク１８の外部において操作ハンドル２６と嵌合され、洗浄水タンク１８の内部において駆動ユニット３８に接続されている。回転軸３４には、回転ストッパー３４ａが形成され、使用者が操作ハンドル２６の回転操作を行う際に、回転ストッパー３４ａが回転軸ガイド３６に当たることにより、操作ハンドル２６の待機状態からの回転範囲を最大４５度までに規制している。
操作ワイヤ２８は、駆動ユニット３８内部から排水弁装置２４内部まで延びる可撓性のチューブ４２の中を通され、駆動ユニット３８内部に向けて開放されるチューブ４２の一端から駆動ユニット３８内部に延ばされている。操作ワイヤ２８は、チューブ４２内を摺動可能に配置されている。
【００２８】
駆動ユニット３８は、回転軸３４の回転力を受けて回転軸３４の周りを回転する回転機構４４と、回転機構４４の外周側を覆うように洗浄水タンク１８内方に向かって立ち上がる壁面４６ａを備えたカバー部材４６と、カバー部材４６に洗浄水タンク１８内方側から蓋をするように組み合わさり、カバー部材４６とともに駆動ユニット３８の外周を形成するカバー蓋４８とを備えている。カバー部材４６は、回転機構４４の外周を覆うようにコンパクトな形状に形成されている。
回転機構４４は、上記回転軸３４の曲率半径（回転半径）ｒ１より大きな曲率半径（回転半径）Ｒ１（後述参照）で回転するように構成されている。
カバー部材４６は、カバー部材４６の内部の壁面４６ａに形成された第一規制部４６ｂと、カバー部材４６の内部の底面４６ｃから突出する第二規制部４６ｄと、チューブ４２を取付けるチューブ取付部４６ｆを備えている。
本発明の第１実施形態による操作装置３０は、使用者が主に左手によって操作しやすいように洗浄水タンク１８の左側側面１８ａに取付けられる操作装置であるが、使用者が主に右手によって操作しやすいように洗浄水タンク１８の右側側面１８ｂに取付けられる操作装置であってもよい。
【００２９】
次に、図３、図５及び図６を参照して、本発明の第１実施形態による操作装置の駆動ユニットの回転機構の詳細について説明する。
駆動ユニット３８の回転機構４４は、回転軸３４と連動して同じ回転をするように回転軸３４に取付けられ、且つ外歯が形成された第一歯車部５０ａを備えた第一回転歯車部材５０と、外歯が形成され且つ第一歯車部５０ａと噛み合う後述するタンク外側第二歯車部５２ａを備えた第二回転歯車部材５２と、第二回転歯車部材５２と噛み合い、且つ自身の回転方向に沿って操作ワイヤ２８を巻き取る回転巻取部材５４と、を備えている。
【００３０】
第一回転歯車部材５０は、円形のギヤを形成するように外周上に第一歯車部５０ａが形成されている。第一回転歯車部材５０は、回転軸３４と同じ回転をするように、回転軸３４が第一回転歯車部材５０の中心部に嵌合されるように取付けられ、回転軸３４の回転軸心Ｃを中心とした回転をするように配置されている。
さらに、第一回転歯車部材５０は、回転軸３４の回転軸心Ｃと同一の軸心Ｃを有しながら水平に延びる回転支持軸５０ｂ（回転中心軸）を形成している。第一回転歯車部材５０は、回転軸３４と同じ回転をするので、本実施形態では、操作ハンドル２６が４５度回転操作されるとき、回転軸３４が４５度回転され、第一回転歯車部材５０が４５度回転される。
【００３１】
第二回転歯車部材５２は、円形から切り欠いたような切り欠け形状（扇形形状又は一部円形状）のギヤを形成し且つ自身の外周上にタンク外側第二歯車部５２ａと、タンク内側第二歯車部５２ｂとが形成されている。第二回転歯車部材５２は、半円より小さい切り欠け形状に形成されている。さらに、第二回転歯車部材５２には、自身の第二回転歯車軸５２ｃが洗浄水タンク１８の左右方向に水平に配置されている。
タンク外側第二歯車部５２ａは、第一歯車部５０ａと噛み合うように第二回転歯車軸５２ｃの洗浄水タンク１８外側部分に配置され、切り欠け形状のギヤを形成し且つ外周上に外歯が形成されている。タンク内側第二歯車部５２ｂは、後述する巻取部材歯車部５４ｃと噛み合うように第二回転歯車軸５２ｃの洗浄水タンク１８内側部分に配置され、切り欠け形状のギヤを形成し且つ外周上に外歯が形成されている。タンク外側第二歯車部５２ａが、回転動作される場合には、タンク内側第二歯車部５２ｂもともに同じ方向に回転動作するようになっている。
第二回転歯車部材５２は、自身の第二回転歯車軸５２ｃが、回転軸３４から離間した位置においてカバー部材４６とカバー蓋４８との間に回転可能に取付けられ、第一歯車部５０ａとタンク外側第二歯車部５２ａとの噛み合いにより伝達された力を受けて回転されるようになっている。さらに、第二回転歯車部材５２は、本実施形態では、第一歯車部５０ａが４５度回転操作されるとき、タンク外側第二歯車部５２ａが増幅された７５度の回転量により回転されることに伴い、タンク内側第二歯車部５２ｂが７５度回転されるので、第二回転歯車軸５２ｃを中心として７５度回転される。第二回転歯車部材５２は、半円より小さい切り欠かれたコンパクトな形状に形成されているので、第二回転歯車部材５２の回転する動作範囲が比較的小さい。従って、第二回転歯車部材５２を備えた回転機構４４を覆うカバー部材４６も比較的小さく形成される。
【００３２】
第二回転歯車部材５２は、切り欠け形状の一方側に第一切り欠け側面５２ｄを備え、他方側に第二切り欠け側面５２ｅを備えている。第一切り欠け側面５２ｄは、第一規制部４６ｂに当たることにより、第二回転歯車部材５２がこれ以上第一規制部４６ｂ側への回転ができないように規制されている。第二切り欠け側面５２ｅは、第二規制部４６ｄに当たることにより、第二回転歯車部材５２がこれ以上第二規制部４６ｄ側への回転ができないように規制されている。通常は、操作ハンドル２６の待機状態からの回転範囲は、回転ストッパー３４ａにより最大４５度までに制限されているが、回転ストッパー３４ａが省略される場合或いは回転ストッパー３４ａが何らかの理由により機能していない場合においても、第二切り欠け側面５２ｅが第二規制部４６ｄに当たることにより、ギヤとしての機能が制限され、回転範囲が規制されるので、操作ワイヤ２８が予定していない移動量まで引かれて操作装置が故障することを抑制することができる。
【００３３】
回転巻取部材５４は、円周弧の約３分の１ほどの長さにプーリー部５４ａを形成し且つ自身の回転方向に沿って操作ワイヤ２８を巻き取る第一外周部５４ｂと、円周弧の約３分の２ほどの長さの扇形に巻取部材歯車部５４ｃを形成する第二外周部５４ｄとを備えている。回転巻取部材５４は、第二外周部５４ｄにおいてタンク内側第二歯車部５２ｂと噛み合うように外歯に形成された巻取部材歯車部５４ｃと、第一外周部５４ｂ上の円周弧の上側端に形成され且つ第一外周部５４ｂ上に沿わせて操作ワイヤ２８を固定する固定部５４ｅと、を備えている。
【００３４】
回転巻取部材５４は、第一回転歯車部材５０が取付けられている回転軸３４と同一軸心Ｃを、自身の回転を支持する回転支持軸５０ｂの軸心Ｃとしている。回転巻取部材５４は、回転支持軸５０ｂが中心部に挿入された状態で回転支持軸５０ｂが中心支持軸として支持されるようになっているが、回転支持軸５０ｂの回転とは独立して自在に回転可能に取付けられている。回転巻取部材５４は、プーリー部５４ａを形成する第一外周部５４ｂと、巻取部材歯車部５４ｃを形成する第二外周部５４ｄとが共通軸を有する同一平面上の一枚の回転部材として形成されている。回転巻取部材５４は、一枚の回転部材として構成されるので、プーリー部５４ａを形成する第一外周部５４ｂと、巻取部材歯車部５４ｃを形成する第二外周部５４ｄとが２枚の回転部材として別々に構成される場合よりも、駆動ユニット３８全体の厚みが小さく形成されている。
【００３５】
上記回転巻取部材５４は、第一外周部５４ｂは曲率半径（回転半径）Ｒ１が比較的大きく形成され、第二外周部５４ｄは、この第一外周部５４ｂより第二外周部５４ｄの曲率半径（回転半径）Ｒ２が小さく形成されている。さらに、第一外周部５４ｂの曲率半径Ｒ１は、第一回転歯車部材５０の曲率半径（回転半径）Ｒ３よりも大きく形成されている。従って、第一外周部５４ｂが回転する領域が、回転機構４４の回転する領域の大部分の外縁を形成し、カバー部材４６は第一外周部５４ｂが回転する領域を覆うような外形にほぼ形成でき、カバー部材４６は、上下方向において、回転軸３４の回転軸心Ｃから第一外周部５４ｂの曲率半径Ｒ１よりもわずかに長い距離下方の位置にカバー部材４６の下辺４６ｅ及びチューブ取付部４６ｆを形成することができる。従来よりも駆動ユニット３８全体の上下方向の長さが短く形成され、回転軸３４の回転軸心Ｃからチューブ取付部４６ｆまでの上下方向の高さＨ２は回転軸心Ｃと満水水位ＷＬとの間の上下方向の高さＨ１よりも小さく形成されている。このように、回転軸心Ｃと満水水位ＷＬとの間の上下方向の高さＨ１が比較的低い場合にも、駆動ユニット３８を水没を防ぐように満水水位ＷＬより上方に配置することができる。
回転巻取部材５４は、本実施形態では、タンク内側第二歯車部５２ｂが７５度回転操作されるとき、巻取部材歯車部５４ｃが増幅された１２５度の回転量により回転されるので、回転支持軸５０ｂを中心として１２５度回転される。
【００３６】
回転巻取部材５４のプーリー部５４ａは、第一外周部５４ｂに沿って半径方向内側に凹まされた溝状に形成されている。従って、操作ワイヤ２８が溝状のプーリー部５４ａ内に嵌まりながらプーリー部５４ａに沿って巻き取られることが可能になる。
固定部５４ｅは、回転巻取部材５４のプーリー部５４ａの上端の溝から連続して設けられ、図７に示す平面図では、回転巻取部材５４の外側に向かって開口するコの字形状に形成されている。従って、操作ワイヤ２８の駆動ユニット側端部２８ａがコの字形状の固定部に嵌合して固定でき、且つ操作ワイヤ２８がプーリー部５４ａに沿うように回転巻取部材５４の外周方向に向かって固定されるようになっている。
回転巻取部材５４は、駆動ユニット３８の回転機構４４が洗浄水タンク１８の左側側面１８ａに配置される操作ハンドル２６に回転軸３４を介して接続される場合に、回転巻取部材５４の表面５４ｆを洗浄水タンク１８内側に向け、且つ裏面５４ｇ（図示せず）を洗浄水タンク１８外側に向けて配置されるようになっている。
回転巻取部材５４は、扇形を形成する角度αを、曲率半径Ｒ１を有する回転巻取部材５４を角度αまで回転させることにより、操作ワイヤ２８を排水弁を十分に上昇させるための移動量まで確実に第一外周部５４ｂに沿って巻き上げることができる大きさに形成されている。上述のように、第一歯車部５０ａ、タンク外側第二歯車部５２ａ、タンク内側第二歯車部５２ｂ及び巻取部材歯車部５４ｃは、回転巻取部材５４の回転角度を、操作ワイヤ２８を排水弁を開閉するために十分な移動量まで確実に移動させることができる角度まで、増大させることができるようなギヤ比に構成され、これらの第一歯車部５０ａ、タンク外側第二歯車部５２ａ、タンク内側第二歯車部５２ｂ及び巻取部材歯車部５４ｃのギヤ比は変更可能である。
【００３７】
つぎに、図２、図７〜図９を参照して、本発明の第１実施形態による操作装置、この操作装置を備えた洗浄水タンク装置、及び、この洗浄水タンク装置を備えた水洗大便器の動作（作用）を説明する。
図７は本発明の第１実施形態による操作装置において、チューブの排水装置側の端部が接続されていない状態で、操作ハンドルが回転操作される前の待機状態の駆動ユニットの内部構造を示す正面図であり、図８は本発明の第１実施形態による操作装置において、チューブの排水装置側の端部が接続されていない状態で、操作ハンドルが回転操作されている途中の状態の駆動ユニットの内部構造を示す正面図であり、図９は本発明の第１実施形態による操作装置において、チューブの排水装置側の端部が接続されていない状態で、操作ハンドルが回転操作されて、最も回転された状態の駆動ユニットの内部構造を示す正面図である。
図９において、比較のために操作ハンドルが回転操作される前の待機状態の位置を点線により示している。
【００３８】
図２に示すように、排水弁装置２４の排水開始前の状態では、排水弁装置２４の弁体（図示せず）が排水口２０を閉止しており、洗浄水タンク１８内の初期水位が満水水位ＷＬ（図２）となり、フロート部材３７が水没している。
【００３９】
つぎに、図２、図７及び図８に示すように、使用者が操作ハンドル２６の操作を開始すると、使用者が操作ハンドル２６の待機状態から操作ハンドル２６の持ち手部分２６ａを下方に引き下げるように回転させる。操作ハンドル２６が回転されると、操作ハンドル２６に連結された回転軸３４が回転され、回転軸３４に取付けられた第一回転歯車部材５０が回転する。操作ハンドル２６は、持ち手部分２６ａを下方に引き下げるような回転方向Ｄ１に４５度回転され、回転軸３４が同じ回転方向Ｄ１に４５度回転され、第一回転歯車部材５０が同じ回転方向Ｄ１に４５度回転される。
第一回転歯車部材５０が回転方向Ｄ１に回転されるとき、第一回転歯車部材５０の第一歯車部５０ａが回転方向Ｄ１に回転され、第一歯車部５０ａと噛み合うタンク外側第二歯車部５２ａが回転方向Ｄ１と逆の回転方向Ｄ２に回転される。第一歯車部５０ａが回転方向Ｄ１に４５度回転されるとき、タンク外側第二歯車部５２ａは回転方向Ｄ２に７５度回転されている。第二回転歯車部材５２のタンク内側第二歯車部５２ｂは、タンク外側第二歯車部５２ａの回転に伴い、回転方向Ｄ２に７５度回転される。
タンク内側第二歯車部５２ｂが回転方向Ｄ２に回転されるとき、タンク内側第二歯車部５２ｂと噛み合う巻取部材歯車部５４ｃが回転方向Ｄ３に回転される。この際、タンク内側第二歯車部５２ｂが７５度回転されるのに対し、巻取部材歯車部５４ｃが１２５度回転されるようになっている。回転巻取部材５４は、自身の第二外周部５４ｄの巻取部材歯車部５４ｃが回転されるとき、自身の第一外周部５４ｂが同じ回転方向Ｄ３に回転される。
【００４０】
回転巻取部材５４の第一外周部５４ｂが回転方向Ｄ３に回転されるとき、第一外周部５４ｂに形成された固定部５４ｅは、回転巻取部材５４の回転半径Ｒ１の円周上を上昇する方向（回転方向Ｄ３）に回転される。固定部５４ｅが第一外周部５４ｂの回転に伴って上昇するにつれ、固定部５４ｅ及び操作ワイヤ２８が回転軸３４よりも上方で弧を描くように引き上げられ、固定部５４ｅに接続された操作ワイヤ２８がチューブ４２から引き上げられ、第一外周部５４ｂの外面に形成された溝状のプーリー部５４ａに沿って巻き取られる。回転巻取部材５４が回転開始から１２５度回転された状態で、操作ワイヤ２８は、第一外周部５４ｂのプーリー部５４ａ内に沿って、排水弁装置２４の弁体（図示せず）の引き上げ量に対応する距離を引き上げられるようになっている。
【００４１】
排水弁装置２４の弁体が操作ワイヤ２８によって引き上げられると、排水弁装置２４が洗浄水タンク１８の排水口２０を開放し、洗浄水タンク装置１６の排水弁装置２４による水洗大便器１の便器本体２への洗浄モードの排水が開始され、洗浄水タンク１８内の水位が低下し始める。便器本体２においては、排水された洗浄水が便器本体２の汚物の洗浄動作を行う。
洗浄水タンク１８内の水位が低下して、フロート部材３７が下降すると、洗浄水供給装置２２が給水バルブ（図示せず）を開弁し、洗浄水タンク１８内に洗浄水の給水を開始する。ここで、使用者が操作ハンドル２６から手を離した状態では、操作ハンドル２６はばね３２の力により待機状態の位置まで戻るように回転される。操作ハンドル２６が戻り回転をするとともに、駆動ユニット３８の回転機構４４も、図７に示すような当初の待機状態の位置まで各構成要素が戻るように回転動作される。洗浄水タンク１８内の水位が死水水位ＤＷＬまで低下すると、排水弁装置２４が洗浄水タンク１８の排水口２０を閉止する。洗浄水供給装置２２による洗浄水タンク１８への給水が継続して行われているため、洗浄水タンク１８内の水位が死水水位ＤＷＬから上昇する。さらに、洗浄水タンク１８内の水位が満水時の満水水位ＷＬに達すると、洗浄水タンク１８内の満水水位ＷＬを検知したフロート部材３７からの信号に基づく操作装置（図示せず）からの指令により、洗浄水供給装置２２の給水バルブ（図示せず）が閉弁し、洗浄水供給装置２２から洗浄水タンク１８内への洗浄水の給水が停止される。
【００４２】
次に、図７及び図１０を参照して、本発明の第１実施形態による操作装置の駆動ユニットを、洗浄水タンク装置の正面から見て左側に取付けられる操作装置に取付け可能な駆動ユニットから、洗浄水タンク装置の正面から見て右側に取付けられる右側操作装置に取付け可能な右側駆動ユニットに、駆動ユニットの回転機構の同じ部材を使用しながら変更できることを説明する。
図１０は本発明の第１実施形態による右側操作装置において、チューブの排水装置側の端部が接続されていない状態で、右側操作ハンドルが回転操作される前の待機状態の右側駆動ユニットの内部構造を示す正面図である。
【００４３】
先ず、洗浄水タンク１８の左側に取付けられる操作装置３０を、洗浄水タンク１８の左側から取り外し、そのまま、洗浄水タンク１８の右側に取付けると、使用者が操作する操作ハンドル２６の持ち手部分２６ａが洗浄水タンク１８の奥側に向いて取付けられてしまい、使用者が使用できなくなる。従って、洗浄水タンク１８の右側に取付けられる右側操作装置５６は、洗浄水タンク１８の右側において右側操作ハンドル５８の持ち手部分５８ａが洗浄水タンク１８の正面側に延びるように配置され、右側操作ハンドル５８の回転に合わせた回転軸３４の回転動作により操作ワイヤ２８を移動させる右側駆動ユニット６０を備える必要がある。
なお、図１０において、右側駆動ユニット６０は、上述した本発明の第１実施形態による駆動ユニット３８とほぼ同じ構成部材により形成されているので、右側操作装置５６において、操作装置３０の部分と同一部分については同一の符号を付し、それらの説明は省略する。
【００４４】
右側駆動ユニット６０は、回転軸３４の回転力を受けて回転軸３４の周りを回転する右側回転機構６２と、右側回転機構６２の外周側を覆うように洗浄水タンク１８内方に向かって立ち上がる壁面６４ａを備えたカバー部材６４と、カバー部材６４に洗浄水タンク１８内方側から蓋をするように組み合わさり、カバー部材６４とともに右側駆動ユニット６０の外周を形成するカバー蓋（図示せず）とを備えている。
カバー部材６４は、カバー部材６４の内部の前面側の壁面６４ａに形成された第一規制部６４ｂと、カバー部材６４の内部の前側（洗浄水タンク１８の前側）の底面６４ｃから突出する第二規制部６４ｄと、カバー部材６４の下辺６４ｅの後側（洗浄水タンク１８の後側）にチューブ４２を取付けるチューブ取付部６４ｆを備えている。
【００４５】
右側駆動ユニット６０の右側回転機構６２は、外歯に形成され且つ第一歯車部５０ａと噛み合うタンク外側第二歯車部（図示せず）を備えた第二回転歯車部材６６と、第二回転歯車部材５２と噛み合い、且つ自身の回転方向に沿って操作ワイヤ２８を巻き取る回転巻取部材６８と、を備えている。
この第二回転歯車部材６６は、本発明の第１実施形態による第二回転歯車部材５２の第二回転歯車軸５２ｃを、右側駆動ユニット６０の右側回転機構６２の前方側に取付ける回転中心軸６６ｃを備えている。すなわち、第二回転歯車部材６６は、第二回転歯車部材５２とは、取付ける位置及び向きのみが異なっており、同じ部材を使用している。このように、本実施形態では、第二回転歯車部材６６は、第二回転歯車部材５２を位置及び向きを変えて用いることにより構成されている。
【００４６】
第二回転歯車部材６６は、切り欠け形状に形成され、切り欠け形状の一方側に第一切り欠け側面６６ｄを備え、他方側に第二切り欠け側面６６ｅを備えている。第一切り欠け側面６６ｄは、第二規制部６４ｄに当たることにより、第二回転歯車部材６６がこれ以上第二規制部６４ｄ側への回転ができないように規制されている。第二切り欠け側面６６ｅは、第一規制部６４ｂに当たることにより、第二回転歯車部材６６がこれ以上第一規制部６４ｂ側への回転ができないように規制されている。
【００４７】
回転巻取部材６８は、本発明の第１実施形態による回転巻取部材５４を、同じ回転軸３４（回転支持軸５０ｂ）を回転中心とするように、表裏を返しながら固定部５４ｅが回転軸３４の左右反対側の横方向位置に配置されるように取付けたものである。すなわち、回転巻取部材６８は、回転巻取部材５４とは、回転巻取部材５４の表面５４ｆと裏面５４ｇとが逆になるように回転支持軸５０ｂ上に取付けられていることのみが異なり、同じ部材により構成されている。従って、回転巻取部材６８は、回転巻取部材６８の表面（図示せず）を洗浄水タンク１８外側に向け、且つ裏面６８ｇ（回転巻取部材５４の裏面５４ｇに相当する）を洗浄水タンク１８内側に向けて配置されるようになっている。このように、回転巻取部材６８は、回転巻取部材５４を用いて構成することができる。
【００４８】
このように、右側駆動ユニット６０の右側回転機構６２を形成することにより、使用者が右側操作ハンドル５８の持ち手部分５８ａを下方に引き下げるように回転方向Ｄ４の方向に４５度下降させる回転操作を行うとき、右側操作ハンドル５８に連結された回転軸３４が回転方向Ｄ４の方向に４５度回転され、回転軸３４に取付けられた第一回転歯車部材５０が回転方向Ｄ４に４５度回転する。
第一回転歯車部材５０が回転方向Ｄ４に回転されるとき、第一歯車部５０ａと噛み合うタンク外側第二歯車部６６ａ（図示せず）が回転方向Ｄ５に７５度回転され、タンク内側第二歯車部６６ｂが回転方向Ｄ５に７５度回転される。タンク内側第二歯車部６６ｂが回転方向Ｄ５に回転されるとき、タンク内側第二歯車部６６ｂと噛み合う巻取部材歯車部６８ｃが回転方向Ｄ６に１２５度回転される。ここで、第二外周部６８ｄは、第一外周部６８ｂより曲率半径が小さく形成されている。
このようにして、回転巻取部材６８の第一外周部６８ｂが回転方向Ｄ６に１２５度回転され、固定部６８ｅに接続された操作ワイヤ２８がチューブ４２から引き上げられ、第一外周部６８ｂの外面に形成された溝状のプーリー部６８ａに沿って巻き取られる。回転巻取部材６８が回転開始から１２５度回転された状態で、操作ワイヤ２８は、第一外周部６８ｂのプーリー部６８ａ内に沿って、排水弁装置２４の弁体（図示せず）の引き上げ量に対応する距離を引き上げられるようになっている。
【００４９】
上述した本発明の第１実施形態による操作装置３０によれば、操作ハンドル２６、５８の回転動作に対し、駆動ユニット３８、６０の回転機構４４、６２が、回転軸３４の回転半径ｒ１より大きな回転半径Ｒ１で回転し、自身の回転方向Ｄ３、Ｄ６に沿って操作ワイヤ２８を巻き上げるので、操作ワイヤ２８を排水弁を上昇させて開くために十分な移動量まで確実に移動させることができる。
それに加え、回転機構４４、６２が自身の回転方向Ｄ３、Ｄ６に沿って操作ワイヤ２８を巻き上げるようにしたため、従来よりも、駆動ユニット３８、６０全体の上下方向の高さを短くすることができ、駆動ユニット３８、６０全体を小型化することができる。よって、駆動ユニット３８、６０を、上下方向の高さが低いローシルエットタイプの洗浄水タンク１８内に配置することができ、ローシルエットタイプの洗浄水タンク１８内に配置した場合に、洗浄水タンク１８に貯められた満水水位ＷＬの洗浄水面内に水没させることなく、操作ワイヤ２８にさび、スケール等が発生することを防ぎ、操作ワイヤ２８を備えた操作装置３０の安定した動作が可能とできる。
【００５０】
また、本発明の第１実施形態による操作装置３０によれば、駆動ユニット３８、６０の回転機構４４、６２において、回転軸３４と連動するように回転する第一歯車部５０ａと第二歯車部（タンク外側第二歯車部５２ａ、６６ａ）とが噛み合って回転され、この第二歯車部（タンク内側第二歯車部５２ｂ、６６ｂ）と巻取部材歯車部５４ｃ、６８ｃとが各々噛み合って回転されるので、回転巻取部材５４、６８は、歯車により伝達され増幅した回転量により回転され、自身の回転方向Ｄ３、Ｄ６に固定部５４ｅ、６８ｅから外周に沿って操作ワイヤ２８を巻き上げるので、操作ハンドル２６、５８の比較的小さな回転動作でも、操作ワイヤ２８が排水弁を上昇させて開くために十分な移動量まで確実に移動させることができる。
よって、回転巻取部材５４、６８が自身の回転方向Ｄ３、Ｄ６に外周に沿って操作ワイヤ２８を巻き上げるようにしたため、従来よりも、駆動ユニット３８、６０全体の上下方向の長さを短くすることができ、駆動ユニット３８、６０全体を小型化することができる。よって、駆動ユニット３８、６０を、上下方向の高さが低いローシルエットタイプの洗浄水タンク１８内に配置することができ、ローシルエットタイプの洗浄水タンク１８内に配置した場合に、洗浄水タンク１８に貯められた満水水位ＷＬの洗浄水面内に水没させることなく、操作ワイヤ２８にさび、スケール等が発生することを防ぎ、操作ワイヤ２８を備えた操作装置３０の安定した動作が可能となる。
【００５１】
さらに、本発明の第１実施形態による操作装置３０によれば、回転巻取部材５４、６８は、第一回転歯車部材５０が取付けられた回転軸３４と同一軸心Ｃを、自身の回転支持軸５０ｂの軸心とするために、回転巻取部材５４、６８が回転支持軸５０ｂの軸心Ｃを中心とした左右方向に均等な領域内で回転することができ、回転巻取部材５４、６８が回転動作をする回転動作領域をさらに小さく形成するとともに、操作ワイヤ２８を排水弁を上昇させて開くために十分な移動量まで確実に移動させることができる。
よって、さらに駆動ユニット３８、６０全体を小型化することができ、駆動ユニット３８、６０を、上下方向の高さが低いローシルエットタイプの洗浄水タンク１８内に配置することができ、ローシルエットタイプの洗浄水タンク１８内に配置した場合に、洗浄水タンク１８に貯められた満水水位ＷＬの洗浄水面内に水没させることなく、操作ワイヤ２８にさび、スケール等が発生することを防ぎ、操作ワイヤ２８を備えた操作装置３０の安定した動作が可能となる。
【００５２】
また、本発明の第１実施形態による操作装置３０によれば、回転巻取部材５４、６８は、同一の回転支持軸５０ｂの部分を中心として、曲率半径が比較的大きく形成された第一外周部５４ｂ、６８ｂと、この第一外周部５４ｂ、６８より曲率半径が小さく形成された第二外周部５４ｄ、６８ｄとが回転するように形成されるので、固定部５４ｅ、６８ｅに固定された操作ワイヤ２８を巻き取る第一外周部５４ｂ、６８ｂと、タンク内側第二歯車部５２ｂ、６６ｂと噛み合う巻取部材歯車部５４ｃ、６８ｃを有する第二外周部５４ｄ、６８ｄとを同じ回転支持軸５０ｂを中心として回転させることができる。従って、第一外周部５４ｂ、６８ｂと第二外周部５４ｄ、６８ｄとを同一平面上に構成することにより、第一外周部５４ｂ、６８ｂと第二外周部５４ｄ、６８ｄとを同一平面上に構成しない場合に比べて、回転巻取部材５４、６８の厚みを小さく形成することができ、回転巻取部材５４、６８自身を小型化することができる。
【００５３】
さらに、本発明の第１実施形態による操作装置３０によれば、切り欠け形状の第一切り欠け側面５２ｄと第一規制部４６ｂとが当接でき（又は切り欠け形状の第一切り欠け側面６６ｄと第二規制部６４ｄとが当接でき）、さらに、第二切り欠け側面５２ｅと第二規制部４６ｄとが当接することにより（又は第二切り欠け側面６６ｅと第一規制部６４ｂとが当接することにより）、使用者が操作ハンドル２６、５８を回転操作する範囲を規制するため、使用者が操作ハンドル２６、５８を回転操作する範囲を規制する規制手段を新たに設ける必要がなくなり、駆動ユニット３８、６０全体をより小型化することができる。
また、第二回転歯車部材５２、６６を半円より小さな切り欠け形状としたために、第二回転歯車部材５２、６６を小型化することができ、第二回転歯車部材５２、６６を備えた回転機構４４、６２を覆うカバー部材４６、６４を小型化することができるので、駆動ユニット３８、６０全体をより小型化することができる。
【００５４】
また、本発明の第１実施形態による操作装置３０によれば、操作ハンドル２６、５８が洗浄水タンク１８外側の左右どちらの側面に取付けられた場合にも、駆動ユニット３８、６０は、回転機構４４、６２の第二回転歯車部材５２、６６及び回転巻取部材５４、６８の配置を変更して、左右どちらの側面１８ａ、１８ｂに取付けられた操作ハンドル２６、５８にも取付け可能に構成されるので、洗浄水タンク１８の左右どちらの側にも取り付け可能な操作装置３０を提供することができる。
【００５５】
つぎに、本発明は、上記操作装置３０を備えたことと特徴とする洗浄水タンク装置１８である。
このように構成された本発明においては、上記操作装置３０を備えた洗浄水タンク装置１８を提供することができる。
【００５６】
つぎに、本発明は、上記洗浄水タンク装置１８を備えたことを特徴とする水洗大便器１である。
このように構成された本発明においては、上記操作装置３０を備えた洗浄水タンク装置１８を備えている水洗大便器１を提供することができる。
【００５７】
つぎに、図１１乃至図１４を参照して、本発明の第２実施形態による操作装置について説明する。
図１１は、本発明の第２実施形態による操作装置を示す分解斜視図であり、図１２は本発明の第２実施形態による操作装置を示す平面図であり、図１３は図４のＸＩＩＩ−ＸＩＩＩ線に沿った断面図であり、図１４は本発明の第２実施形態による操作装置において、チューブの排水装置側の端部が接続されていない状態で、操作ハンドルが回転操作される前の待機状態の駆動ユニットの内部構造を示す斜視図である。
なお、図１１乃至図１４において、上述した本発明の第１実施形態による操作装置の部分と同一部分については同一の符号を付し、これらの説明は省略する。
【００５８】
まず、本発明の第２実施形態による操作装置においては、駆動ユニットの構成のみが上述した本発明の第１実施形態による操作装置の駆動ユニットの構成と異なっており、その他の部分については第１実施形態と同一の構成であるため、以下、第１実施形態と異なる駆動ユニットのみについて説明する。
【００５９】
図１１乃至図１４に示すように、本発明の第２実施形態による操作装置の駆動ユニットにおいては、上述した本発明の第１実施形態による操作装置の駆動ユニットの第二回転歯車部材に相当するものが配置されていない。
先ず、本発明の第２実施形態による操作装置１３０は、洗浄水タンク１８内の満水水位ＷＬより上方に配置され且つ、回転軸３４の回転動作を伝達して操作ワイヤ２８を巻き取る駆動ユニット１３８を有している。回転軸３４は、洗浄水タンク１８の内部において駆動ユニット１３８の中心部分よりも後方側において駆動ユニット１３８に接続されている。
【００６０】
駆動ユニット１３８は、回転軸３４の回転力を受けて回転軸３４の周りを回転する回転機構１４４と、回転機構１４４の外周側を覆うように洗浄水タンク１８内方に向かって立ち上がる壁面１４６ａを備えたカバー部材１４６と、カバー部材１４６に洗浄水タンク１８内方側から蓋をするように組み合わさり、カバー部材１４６とともに駆動ユニット１３８の外周を形成するカバー蓋１４８とを備えている。
回転機構１４４は、上記回転軸３４の曲率半径（回転半径）ｒ１より大きな曲率半径（回転半径）Ｒ４で回転するように構成されている。カバー部材１４６は、カバー部材１４６の内部の下辺１４６ｅから上方に延びるように形成された第一規制部１４６ｂと、チューブ４２を下辺１４６ｅの前方側に取付けるチューブ取付部１４６ｆを備えている。
本発明の第２実施形態による操作装置３０は、使用者が主に左手によって操作しやすいように洗浄水タンク１８の左側側面１８ａに取付けられる操作装置であるが、使用者が主に右手によって操作しやすいように洗浄水タンク１８の右側側面１８ｂに取付けられる操作装置であってもよい。
【００６１】
次に、図１１乃至図１４を参照して、本発明の第２実施形態による操作装置の駆動ユニットの回転機構の詳細について説明する。
駆動ユニット１３８の回転機構１４４は、回転軸３４と連動して同じ回転をするように回転軸３４に取付けられ、且つ外歯が形成された第一歯車部１５０ａを備えた第一回転歯車部材１５０と、第一回転歯車部材１５０と噛み合い、且つ自身の回転方向に沿って操作ワイヤ２８を巻き取る回転巻取部材１５４と、を備えている。
【００６２】
第一回転歯車部材１５０は、切り欠け形状（扇形形状）のギヤを形成するように外周上の一部に第一歯車部１５０ａが形成されている。第一回転歯車部材１５０は、回転軸３４と同じ回転をするように、回転軸３４が第一回転歯車部材１５０の中心部に嵌合されるように取付けられ、回転軸３４の回転軸心Ｃを中心とした回転をするように配置されている。
第一回転歯車部材１５０は、回転軸３４と同じ回転をするので、本実施形態では、操作ハンドル２６が４５度回転操作されるとき、回転軸３４が４５度回転され、第一回転歯車部材１５０が４５度回転される。
【００６３】
回転巻取部材１５４は、円周弧の約４分の１ほどの長さにプーリー部１５４ａを形成し且つ自身の回転方向に沿って操作ワイヤ２８を巻き取る第一外周部１５４ｂと、外周の約４分の３ほどの長さに扇形に巻取部材歯車部１５４ｃを形成する第二外周部１５４ｄとを備えている。回転巻取部材１５４は、第二外周部１５４ｄに第一歯車部１５０ａと噛み合うように外歯に形成された巻取部材歯車部１５４ｃと、第一外周部１５４ｂ上の円周弧の上側端に形成され且つ第一外周部１５４ｂ上に沿わせて操作ワイヤ２８を固定する固定部１５４ｅと、を備えている。
【００６４】
回転巻取部材１５４は、第一回転歯車部材１５０が取付けられている回転軸３４とは別の回転軸を、自身の回転を支持する回転支持軸１５４ｈとしている。回転軸３４がカバー部材１４６の中央から離間して配置され、回転支持軸１５４ｈがカバー部材１４６のほぼ中央に配置されているので、回転支持軸１５４ｈを中心として回転巻取部材１５４が回転することができ、回転機構１４４の回転する領域の大部分の外縁を形成するカバー部材１４６の外形が比較的小さく形成でき、駆動ユニット１３８の左右方向及び上下方向の長さの増大を抑制して、駆動ユニット１３８全体をより小型化することができる。回転支持軸１５４ｈは、回転軸３４と、ほぼ水平方向に同じ高さに配置されている。
【００６５】
上記回転巻取部材１５４は、第一外周部１５４ｂは曲率半径（回転半径）Ｒ４が比較的大きく形成され、第二外周部１５４ｄは、この第一外周部１５４ｂより第二外周部１５４ｄの曲率半径（回転半径）Ｒ５が小さく形成されている。
第一外周部１５４ｂが回転する領域が、回転機構１４４の回転する領域の大部分の外縁を形成し、カバー部材１４６は回転半径Ｒ４の円領域を覆うような外形にほぼ形成でき、カバー部材１４６は、上下方向において、回転支持軸１５４ｈから第一外周部１５４ｂの曲率半径Ｒ４よりもわずかに長い距離下方の位置にカバー部材１４６の下辺１４６ｅを形成することができる。
ここで、従来よりも駆動ユニット１３８全体の上下方向の長さが短く形成され、回転軸３４の回転軸心Ｃから下辺１４６ｅまでの上下方向の高さＨ３（図示せず）は回転軸心Ｃと満水水位ＷＬとの間の上下方向の高さＨ１よりも小さく形成されている。
回転巻取部材１５４は、本実施形態では、第一回転歯車部材１５０が４５度回転操作されるとき、巻取部材歯車部１５４ｃが増幅された９０度の回転量により回転されるので、回転支持軸１５４ｈを中心として９０度回転される。
【００６６】
回転巻取部材１５４のプーリー部１５４ａは、第一外周部１５４ｂに沿って半径方向内側に凹まされた溝状に形成されている。従って、操作ワイヤ２８が溝状のプーリー部１５４ａ内に嵌まりながらプーリー部１５４ａに沿って巻きつけられることが可能になる。
固定部１５４ｅは、回転巻取部材１５４のプーリー部１５４ａの上端の溝に連続して設けられ、図１５に示す平面図では、回転巻取部材１５４の外側に向かって開口するコの字形状に形成されている。従って、操作ワイヤ２８の駆動ユニット側端部２８ａがコの字形状の固定部１５４ｅに嵌合して固定でき、且つ操作ワイヤ２８がプーリー部１５４ａに沿うように回転巻取部材１５４の外周方向に向かって固定されるようになっている。さらに、回転巻取部材１５４は、駆動ユニット１３８の回転機構１４４が、洗浄水タンク１８の左側側面１８ａに配置される操作ハンドル２６に回転軸３４を介して、接続される場合に、回転巻取部材１５４の表面１５４ｆを洗浄水タンク１８内側に向け、且つ裏面１５４ｇ（図示せず）を洗浄水タンク１８外側に向けて配置されるようになっている。回転巻取部材１５４は、扇形の角度βは、回転半径Ｒ４を有する回転巻取部材１５４を角度βまで回転させることにより、操作ワイヤ２８を排水弁を開閉するために十分な移動量まで確実に第一外周部１５４ｂに沿って巻き上げることができる大きさに形成されている。
上述のように、第一歯車部１５０ａと巻取部材歯車部１５４ｃは、回転巻取部材１５４の回転角度を、操作ワイヤ２８を排水弁を開閉するために十分な移動量まで確実に移動させることができる角度まで、増大させることができるようなギヤ比に構成され、これらの、第一歯車部１５０ａと巻取部材歯車部１５４ｃとのギヤ比は変更可能である。
【００６７】
回転巻取部材１５４のプーリー部１５４ａは、切り欠け形状に形成されているので、切り欠け形状において、固定部１５４ｅと反対側の側面に第一切り欠け側面１５４ｉを備えている。第一切り欠け側面１５４ｉは、第一規制部１４６ｂに当たることにより、回転巻取部材１５４がこれ以上第一規制部１４６ｂ側への回転ができないように規制されている。従って、回転巻取部材１５４の回転範囲を規制することにより、操作ワイヤ２８が移動する大きさの範囲を規制することができる。
【００６８】
つぎに、図１５乃至図１７を参照して、本発明の第２実施形態による操作装置、この操作装置を備えた洗浄水タンク装置、及び、この洗浄水タンク装置を備えた水洗大便器の動作（作用）を説明する。
図１５は本発明の第２実施形態による操作装置において、チューブの排水装置側の端部が接続されていない状態で、操作ハンドルが回転操作される前の待機状態の駆動ユニットの内部構造を示す正面図であり、図１６は本発明の第２実施形態による操作装置において、チューブの排水装置側の端部が接続されていない状態で、操作ハンドルが回転操作されている途中の状態の駆動ユニットの内部構造を示す正面図であり、図１７は本発明の第２実施形態による操作装置において、操作ハンドルが回転操作されて、最も回転された状態の駆動ユニットの内部構造を示す正面図である。
本発明の第２実施形態による操作装置の動作以外の、洗浄水タンク装置、及び、この洗浄水タンク装置を備えた水洗大便器の動作については、本発明の第１実施形態による操作装置を備えた洗浄水タンク装置、及び、この洗浄水タンク装置を備えた水洗大便器の動作と同様であるので説明は省略する。
【００６９】
図１５乃至図１７に示すように、使用者が持ち手部分２６ａを下方に引き下げるように操作ハンドル２６を回転させる。操作ハンドル２６が回転されると、操作ハンドル２６に連結された回転軸３４が回転され、回転軸３４に取付けられた第一回転歯車部材１５０が回転する。操作ハンドル２６は、持ち手部分２６ａを下方に引き下げるような回転方向Ｄ７に４５度回転され、回転軸３４が同じ回転方向Ｄ７に４５度回転され、第一回転歯車部材１５０が同じ回転方向Ｄ７に４５度回転される。
第一回転歯車部材１５０が回転方向Ｄ７に回転されるとき、第一回転歯車部材１５０の第一歯車部１５０ａが回転方向Ｄ７に回転され、第一歯車部１５０ａと噛み合う巻取部材歯車部１５４ｃが回転方向Ｄ７と逆の回転方向Ｄ８に回転される。このとき、第一歯車部１５０ａが回転方向Ｄ７に４５度回転されると、巻取部材歯車部１５４ｃが回転方向Ｄ８に９０度回転される。回転巻取部材１５４の第一外周部１５４ｂは、巻取部材歯車部１５４ｃの回転に伴い、回転方向Ｄ８に９０度回転される。
【００７０】
回転巻取部材１５４の第一外周部１５４ｂが回転方向Ｄ８に回転されるとき、第一外周部１５４ｂに形成された固定部１５４ｅは、回転巻取部材１５４の回転支持軸１５４ｈを中心として回転半径Ｒ４の円周上を上昇する方向（回転方向Ｄ８）に移動される。固定部１５４ｅが第一外周部１５４ｂの回転に伴って上昇するにつれ、固定部５４ｅ及び操作ワイヤ２８が回転軸３４よりも上方で弧を描くように引き上げられ、固定部１５４ｅに接続された操作ワイヤ２８がチューブ４２から引き出され、第一外周部１５４ｂの外面に形成された溝状のプーリー部１５４ａに沿って巻き取られる。回転巻取部材１５４が回転開始から約９０度回転された状態で、操作ワイヤ２８は、第一外周部１５４ｂのプーリー部１５４ａ内に沿って、排水弁装置２４の弁体（図示せず）の引き上げ量に対応する距離を引き上げられるようになっている。使用者が操作ハンドル２６から手を離した状態では、操作ハンドル２６はばね（図示せず）の力により待機状態の位置まで戻るように回転される。操作ハンドル２６が戻り回転をするとともに、駆動ユニット１３８の回転機構１４４も、図１５に示すような当初の待機状態の位置まで各構成要素が戻るように回転動作される。
【００７１】
上述した本発明の第２実施形態による操作装置１３０によれば、駆動ユニット１３８の回転機構１４４において、回転軸３４と連動するように回転する第一歯車部１５０ａと巻取部材歯車部１５４ｃとが噛み合って回転されるので、回転巻取部材１５４は、歯車により伝達され増幅した回転量により回転され、自身の回転方向に固定部１５４ｅから外周に沿って操作ワイヤ２８を巻き上げるので、操作ハンドル２６の比較的小さな回転動作でも、操作ワイヤ２８が排水弁を上昇させて開くために十分な移動量まで確実に移動させることができる。
よって、回転巻取部材１５４が自身の回転方向に外周に沿って操作ワイヤ２８を巻き上げるようにしたため、従来よりも、駆動ユニット１３８全体の上下方向の長さを短くすることができ、駆動ユニット１３８全体を小型化することができる。よって、駆動ユニット１３８を、上下方向の高さが低いローシルエットタイプの洗浄水タンク１８内に配置することができ、ローシルエットタイプの洗浄水タンク１８内に配置した場合に、洗浄水タンク１８に貯められた満水水位ＷＬの洗浄水面内に水没させることなく、操作ワイヤ２８にさび、スケール等が発生することを防ぎ、操作ワイヤ２８を備えた操作装置１３０の安定した動作が可能となる。
【００７２】
また、本発明の第２実施形態による操作装置１３０によれば、回転巻取部材１５４は、曲率半径が比較的大きな第一外周部１５４ｂに操作ワイヤ２８を固定する固定部１５４ｅが設けられ、操作ワイヤ２８を第一外周部１５４ｂに沿って巻き取るので、操作ワイヤ２８を排水弁を上昇させて開くために十分な移動量まで確実に移動させることができる。
さらに、回転巻取部材１５４は、固定部１５４ｅに固定された操作ワイヤ２８を巻き取る第一外周部１５４ｂと、第一歯車部１５０ａと噛み合う巻取部材歯車部１５４ｃを有する第二外周部１５４ｄとを同じ回転中心軸を中心として回転させることができる。従って、第一外周部１５４ｂと第二外周部１５４ｄとを同一平面上に構成することにより、第一外周部１５４ｂと第二外周部１５４ｄとを同一平面上に構成しない場合に比べて、回転巻取部材１５４の厚みを小さく形成することができ、回転巻取部材１５４自身を小型化することができる。
【符号の説明】
【００７３】
１            水洗大便器
２            便器本体
１６          洗浄水タンク装置
１８          洗浄水タンク
２６          操作ハンドル
２８          操作ワイヤ
３０          操作装置
３４          回転軸
３８          駆動ユニット
４４          回転機構
４６          カバー部材
４６ｄ        第二規制部
４６ｂ        第一規制部
５０          第一回転歯車部材
５０ａ        第一歯車部
５２          第二回転歯車部材
５２ａ        タンク外側第二歯車部
５２ｂ        タンク内側第二歯車部
５２ｃ        第二回転歯車軸
５２ｄ        第一切り欠け側面
５２ｅ        第二切り欠け側面
５４          回転巻取部材
５４ａ        プーリー部
５４ｂ        第一外周部
５４ｃ        巻取部材歯車部
５４ｄ        第二外周部
５４ｅ        固定部
５４ｆ        表面
５４ｇ        裏面
５６          右側操作装置
５８          右側操作ハンドル
６０          右側駆動ユニット
６２          右側回転機構
６４          カバー部材
６４ｂ        第一規制部
６４ｄ        第二規制部
６６          第二回転歯車部材
６６ａ        タンク外側第二歯車部
６６ｂ        タンク内側第二歯車部
６６ｃ        回転中心軸
６６ｄ        側面
６６ｅ        側面
６８          回転巻取部材
６８ａ        プーリー部
６８ｂ        第一外周部
６８ｃ        巻取部材歯車部
６８ｅ        固定部
１２２        洗浄水供給装置
１３０        操作装置
１３８        駆動ユニット
１４４        回転機構
１４６        カバー部材
１４６ｂ      第一規制部
１５０        第一回転歯車部材
１５０ａ      第一歯車部
１５４        回転巻取部材
１５４ａ      プーリー部
１５４ｂ      第一外周部
１５４ｃ      巻取部材歯車部
１５４ｄ      第二外周部
１５４ｉ      第一切り欠け側面
Ｃ            回転軸心
ＤＷＬ        死水水位
ＷＬ          満水水位
【図１】
2014190131.tif 000003
【図２】
2014190131.tif 000004
【図３】
2014190131.tif 000005
【図４】
2014190131.tif 000006
【図５】
2014190131.tif 000007
【図６】
2014190131.tif 000008
【図７】
2014190131.tif 000009
【図８】
2014190131.tif 000010
【図９】
2014190131.tif 000011
【図１０】
2014190131.tif 000012
【図１１】
2014190131.tif 000013
【図１２】
2014190131.tif 000014
【図１３】
2014190131.tif 000015
【図１４】
2014190131.tif 000016
【図１５】
2014190131.tif 000017
【図１６】
2014190131.tif 000018
【図１７】
2014190131.tif 000019
【図１８】
2014190131.tif 000020
【図１９】
2014190131.tif 000021